(57)【要約】【課題】ＩＰデータを正常に受信できているかどうかユーザが把握可能なＩＰＤＣ受信機を提供する。【解決手段】ＩＰＤＣ受信機１は、放送波信号が入力される入力端子１１と、放送波信号からＩＰデータを抽出して、抽出されたＩＰデータを無線で出力する無線出力回路２２と、ＩＰＤＣ受信機１におけるＩＰデータの受信状態を示すためのインジケータ２１とを備える。【選択図】図３
0003185124.tif 000002
【実用新案登録請求の範囲】
【請求項１】
ＩＰ（Internet  Protocol）データが重畳された放送信号を受信するＩＰＤＣ（IP  Data  Cast）受信機であって、
前記放送信号が入力される入力端子と、
前記放送信号から前記ＩＰデータを抽出して、抽出された前記ＩＰデータを無線で出力する無線出力回路と、
前記ＩＰＤＣ受信機における前記ＩＰデータの受信状態を示すためのインジケータとを備える、ＩＰＤＣ受信機。
【請求項２】
前記インジケータは、前記無線出力回路における前記ＩＰデータの前記受信状態に従って、少なくとも１色の光を切り換えて発する、請求項１に記載のＩＰＤＣ受信機。
【請求項３】
前記入力端子は、建物の壁に配置された放送信号受信用端子に直接接続可能なコネクタである、請求項１または２のいずれか１項に記載のＩＰＤＣ受信機。
【考案の詳細な説明】
【技術分野】
【０００１】
本考案は、ＩＰＤＣ（IP  Data  Cast）受信機に関する。
【背景技術】
【０００２】
ＩＰＤＣ（IP  Data  Cast）は、放送信号にＩＰ（Internet  Protocol）データを重畳して、放送信号の送信によって、そのＩＰデータを一斉配信するサービスである。ＩＰＤＣを実現するための技術がこれまでに提案されている。
【０００３】
たとえば特開２０１０−１３６１３８号公報（特許文献１）は、視聴者が放送を視聴しているときに、その視聴中の放送内容に関連した情報の提供を受けることが可能な情報提供システムを開示する。たとえば特開２０１１−２３９０８７号公報（特許文献２）は、通信システムで送信される信号に加えて放送システムで放送される放送波を受信して、端末に中継等することができる受信中継装置を開示する。たとえば特開２０１１−２９９７２号公報（特許文献３）は、映像番組と関連コンテンツとを簡単に連携させることができる放送システム、受信装置等を開示する。
【先行技術文献】
【特許文献】
【０００４】
【特許文献１】特開２０１０−１３６１３８号公報
【特許文献２】特開２０１１−２３９０８７号公報
【特許文献３】特開２０１１−２９９７２号公報
【考案の概要】
【考案が解決しようとする課題】
【０００５】
ユーザの所持する無線通信端末においてＩＰデータが受信できない場合には、複数の原因が考えられる。しかし、上記の各文献は、ＩＰＤＣ受信機がＩＰデータを受信できているかどうかをユーザが把握するための具体的な構成を提示していない。
【０００６】
本考案の目的は、ＩＰデータを正常に受信できているかどうかユーザが把握可能なＩＰＤＣ受信機を提供することである。
【課題を解決するための手段】
【０００７】
この考案のある局面に係るＩＰＤＣ受信機は、ＩＰデータが重畳された放送信号を受信するＩＰＤＣ受信機であって、放送信号を入力するための入力端子と、放送信号からＩＰデータを抽出して、抽出されたＩＰデータを無線で出力する無線出力回路と、ＩＰＤＣ受信機におけるＩＰデータの受信状態を示すためのインジケータとを備える。
【０００８】
好ましくは、インジケータは、無線出力回路におけるＩＰデータの受信状態に従って、少なくとも１色の光を切り換えて発する。
【０００９】
好ましくは、入力端子は、建物の壁に配置された放送信号受信用端子に直接接続可能なコネクタである。
【考案の効果】
【００１０】
本考案によれば、ＩＰデータを正常に受信できているかどうかユーザが把握可能なＩＰＤＣ受信機を提供することができる。
【図面の簡単な説明】
【００１１】
【図１】本考案の実施の形態１に係るＩＰＤＣ受信機１を含むシステムの概要図である。
【図２】本考案の実施の形態１に係るＩＰＤＣ受信機１の概略的な外観を示した図である。
【図３】本考案の実施の形態１に係るＩＰＤＣ受信機１の内部構成を示したブロック図である。
【図４】本考案の実施の形態１に係るＩＰＤＣ受信機１におけるＩＰデータの受信状況を示すための処理を説明するフローチャートである。
【図５】本考案の実施の形態２に係るＩＰＤＣ受信機１の１つの構成例を示したブロック図である。
【図６】本考案の実施の形態２に係るＩＰＤＣ受信機１の他の構成例を示したブロック図である。
【考案を実施するための形態】
【００１２】
以下、図面を参照しつつ、本考案の実施の形態について説明する。以下の説明では、同一または対応する要素には同一の符号を付して、それらについての詳細な説明は繰り返さない。
【００１３】
［実施の形態１］
図１は、本考案の実施の形態１に係るＩＰＤＣ受信機１を含むシステムの概要図である。図１を参照して、放送局１０１は、テレビ放送番組を製作する。製作されたテレビ放送番組の内容は、放送波の形態で電波塔１０２から発信される。この実施の形態では、地上デジタル放送のための放送波が電波塔１０２から発信される。
【００１４】
放送波とともに、任意のアプリケーションあるいはコンテンツ（たとえば画像、音声あるいは文字）が、所定のプロトコルに従ってＩＰ（Internet  Protocol）パケットとして送信される。これにより、いわゆるＩＰＤＣが行なわれる。たとえば放送プロトコルとしては、ＭＰＥＧ（Moving  Picture  Expert  Group）−２  ＴＳ（トランスポートストリーム）が使用される。ＴＳは、ＯＦＤＭ（Orthogonal  Frequency  Division  Multiplexing）にて多重化されるとともにデジタル変調されてデジタル放送波として送出される。なお、ＴＳの構成、ならびに、ＯＦＤＭによる多重化およびデジタル変調は、公知であるのでその詳細な説明はここでは繰り返さない。
【００１５】
家屋２００には、上記の放送波を受信するためのアンテナ２０１が設置されている。アンテナ２０１で受信された放送波は、ケーブル（たとえば同軸ケーブル）２０２を伝送して、本考案の実施の形態に係るＩＰＤＣ受信機１に放送信号として入力される。
【００１６】
ＩＰＤＣ受信機１は、家屋２００の壁面５０に設けられた放送信号受信用端子（図１に示さず）に直接接続される。さらにＩＰＤＣ受信機１は、同軸ケーブルを介してテレビジョン受像機２に接続される。ケーブル２０２からＩＰＤＣ受信機１および同軸ケーブルを介してテレビジョン受像機２に放送信号が入力される。テレビジョン受像機２は、その放送信号を受けて、受信した放送番組の内容を画面に映像で表示するとともに、スピーカから音声を出力する。
【００１７】
なお、図示の都合上、ケーブル２０２の全体が家屋２００の外に配置されるように示されている。しかし、家屋２００の壁面５０に設けられた放送信号受信用端子への接続のため、ケーブル２０２は、その途中から家屋２００の中に引き込まれる。
【００１８】
ＩＰＤＣ受信機１は、さらに、受信した放送信号からＩＰデータを抽出する。ＩＰＤＣ受信機１は、その抽出されたＩＰデータを無線によって出力する。
【００１９】
家屋２００内には、たとえば無線ルータ３が設けられる。無線ルータ３は、ネットワーク３０１を介してサーバ３０２に接続される。無線ルータ３は、ＩＰＤＣ受信機１から無線によって出力されたＩＰデータを受信する。
【００２０】
無線ルータ３は、無線通信端末４との間で無線通信を行なう。無線通信端末４は、たとえばスマートフォン、タブレット、パーソナルコンピュータ等を含むがこれらに限定されない。無線通信端末４は、無線ルータ３を介してＩＰデータを受信する。
【００２１】
無線通信端末４は、受信ＩＰデータに対して所定の処理を実行することにより、たとえばコンテンツを再生する。たとえば無線通信端末４の表示画面に、ユーザが視聴中の番組の名称あるいは出演者等の情報が表示される。
【００２２】
なお、無線通信端末４は、ＩＰＤＣ受信機１からＩＰデータを直接受信することもできる。したがって無線ルータ３は、この実施の形態に係るシステムにおいて必須の構成要素ではない。
【００２３】
ＩＰＤＣ受信機１からＩＰデータを無線で出力するためには、ＩＰＤＣ受信機１に電源電圧を供給する必要がある。本考案に係る実施の形態１では、電源電圧の種類はＤＣ電圧である。電源電圧は、ＩＰＤＣ受信機１に入力される放送信号またはＩＰＤＣ受信機１から出力される放送信号に重畳されることで、ＩＰＤＣ受信機１に供給される。
【００２４】
本考案の実施の形態１では、電源電圧がＩＰＤＣ受信機１に入力される放送信号またはＩＰＤＣ受信機１から出力される放送信号のいずれに重畳された場合にも、その電源電圧によりＩＰＤＣ受信機１は動作可能である。図１に示された構成では、テレビジョン受像機２からＩＰＤＣ受信機１に電源電圧が供給される。すなわち、テレビジョン受像機２は、ＩＰＤＣ受信機１から出力される放送信号にＩＰＤＣ受信機１の電源電圧を重畳する。
【００２５】
たとえば今日の多くのテレビジョン受像機は、ＢＳ（放送衛星）アンテナおよび／またはＣＳ（通信衛星）アンテナのコンバータに電源電圧を供給するための機能を有する。この実施の形態１では、テレビジョン受像機２が上記の機能を利用することにより、ＩＰＤＣ受信機１から出力される放送信号にＩＰＤＣ受信機１の電源電圧を重畳することができる。
【００２６】
図２は、本考案の実施の形態１に係るＩＰＤＣ受信機１の概略的な外観を示した図である。図２を参照して、本考案の実施の形態１に係るＩＰＤＣ受信機１は、筐体１０と、入力端子１１と、出力端子１２と、インジケータ２１とを有する。たとえば入力端子１１は、Ｆ型コネクタである。壁面５０には壁面端子５１が配置される。壁面端子５１は、放送信号受信用端子であり、たとえば「テレビコンセント」あるいは「テレビ端子」とも呼ばれる端子である。具体的には壁面端子５１は、Ｆ型コネクタである。したがって、入力端子１１は、壁面端子５１に直接接続することができる。
【００２７】
出力端子１２は、壁面端子５１と同じく、Ｆ型コネクタである。図２では、出力端子１２が、ＩＰＤＣ受信機１の筐体１０の表面から突出した形態が示されている。しかしながら、壁面端子５１と同様に、出力端子１２は、筐体１０の表面から突出しないように配置されていてもよい。
【００２８】
インジケータ２１は、ＩＰＤＣ受信機におけるＩＰデータの受信状態を示すためのものである。インジケータ２１は、少なくとも１色の光を切り換えて発するように構成される。したがって、インジケータ２１は、１色の光を点灯するか、消灯するかを切り換えるように構成されていてもよい。あるいは、インジケータ２１は、２色の光を切り換えて発するように構成されていてもよい。あるいはインジケータ２１は、３色の光を切り換えて発するように構成されてもよい。たとえばインジケータ２１は、緑色、黄色および赤色の光を切り換えて発する多色ＬＥＤを含むことができる。また、インジケータ２１は、点灯および消灯を行なうものと限定されず、点灯動作に代えて、あるいは点灯動作に加えて、点滅動作を行なってもよい。
【００２９】
図３は、本考案の実施の形態１に係るＩＰＤＣ受信機１の内部構成を示したブロック図である。図３を参照して、ＩＰＤＣ受信機１は、入力端子１１と、出力端子１２と、高周波チョークコイル（ＲＦＣ）１３，１４と、逆流防止ダイオード１５と、分配器１６と、ＤＣ／ＤＣコンバータ（変換回路）１７と、ＩＳＤＢ（Integrated  Services  Digital  Broadcasting）−Ｔチューナ１８と、制御回路１９と、無線通信部２０と、インジケータ２１とを備える。この実施の形態１では、ＩＳＤＢ−Ｔチューナ１８と、制御回路１９と、無線通信部２０とは、無線出力回路２２を構成する。
【００３０】
放送信号は、入力端子１１に入力されて、分配器１６により、出力端子１２およびＩＳＤＢ−Ｔチューナ１８へと送られる。出力端子１２からは、入力端子１１に入力された放送信号がそのまま出力される。
【００３１】
ＩＳＤＢ−Ｔチューナ１８は、放送信号に重畳して伝送されるＴＳを放送信号から抽出する。制御回路１９は、その抽出されたＴＳを処理して、無線通信端末４に送信されるべきＩＰデータを抽出する。制御回路１９は、所定の演算処理を実行するＣＰＵ（Central  Processing  Unit）と、その処理のためのプログラムを不揮発的に記憶するＲＯＭ（Read  Only  Memory）と、ＣＰＵの処理に必要なデータを一時的に記憶するＲＡＭ(Random  Access  Memory)とを有する。
【００３２】
無線通信部２０は、制御回路１９によって抽出されたＩＰデータを無線により出力する。
【００３３】
ＲＦＣ１３は、入力端子１１に入力される放送信号にＤＣ電圧が重畳されている場合に、そのＤＣ電圧を放送信号から取り出すためのものである。ＲＦＣ１４は、出力端子１２から出力される放送信号にＤＣ電圧が重畳されている場合に、そのＤＣ電圧を放送信号から取り出すためのものである。
【００３４】
ＲＦＣ１３の一方端は、入力端子１１に接続される。ＲＦＣ１４の一方端は、出力端子１２に接続される。ＲＦＣ１３，１４の他方端同士が接続される。すなわちＲＦＣ１３，１４は、入力端子１１と出力端子１２との間に直列に接続される。
【００３５】
図３に示された構成によれば、入力端子１１と出力端子１２との間を電流が通過することができる。これにより、図１に示されたシステムの構成において、家屋２００に、アンテナ２０１に加えて、たとえば、ＢＳアンテナおよび／またはＣＳアンテナが設置されている場合には、そのＢＳアンテナおよび／またはＣＳアンテナのコンバータに、テレビジョン受像機２から、ＩＰＤＣ受信機１およびケーブル２０２を通じて電源電圧を供給することができる。
【００３６】
ＲＦＣ１３，１４の接続点には、逆流防止ダイオード１５のアノードが接続される。一方、逆流防止ダイオード１５のカソードは、ＤＣ／ＤＣコンバータ１７の入力側に接続される。すなわち逆流防止ダイオード１５は、ＲＦＣ１３の他方端とＲＦＣ１４の他方端との接続点からＤＣ／ＤＣコンバータ１７への向きに順方向となるように、当該接続点とＤＣ／ＤＣコンバータ１７との間に接続される。
【００３７】
ＲＦＣ１３の他方端またはＲＦＣ１４の他方端から、放送信号に重畳した電圧が取り出される。逆流防止ダイオード１５は、ＲＦＣ１３の他方端およびＲＦＣ１４の他方端からＤＣ／ＤＣコンバータ１７にＤＣ電流を流す一方で、その向きとは逆の向きにＤＣ電流が流れることを阻止する。
【００３８】
ＤＣ／ＤＣコンバータ１７は、ＲＦＣ１３またはＲＦＣ１４によって取り出されたＤＣ（直流）電圧を、無線出力回路２２（ＩＳＤＢ−Ｔチューナ１８、制御回路１９および無線通信部２０）の動作に適切な大きさを有する電源電圧に変換して、その電源電圧を無線出力回路に供給する。
【００３９】
インジケータ２１は、制御回路１９の制御に従って、３色のうちのいずれか１色の光を発する。
【００４０】
図４は、本考案の実施の形態１に係るＩＰＤＣ受信機１におけるＩＰデータの受信状況を示すための処理を説明するフローチャートである。このフローチャートの処理は、ＩＰＤＣ受信機１に電源電圧が供給されている間、たとえば所定の周期で制御回路１９によって実行される。
【００４１】
図３および図４を参照して、ステップＳ１において、制御回路１９は、ＴＳを受信する。ＴＳには、ＩＤおよび連続データのつながりを表わすカウント値が含まれる。ステップＳ２において、制御回路１９は、ＩＤおよびカウント値を解析する。
【００４２】
ステップＳ３において、制御回路１９は、ＩＤおよびカウント値の解析結果に基づいて、ＩＰデータの受信状態を判定する。制御回路１９は、ＩＤおよびカウント値を利用して、欠落したＴＳがないかどうかを判定できるとともに、ＴＳそのものがないことを判定することができる。
【００４３】
カウント値から、欠落したＴＳの数が０であると判定できる場合には、制御回路１９は、ＩＰデータの受信状態が良好であると判定する。一方、カウント値から、欠落したＴＳの数が多数である（たとえば欠落したＴＳの数が基準値を上回る）場合には、制御回路１９は、ＩＰデータの受信状態が悪いと判定する。ＴＳの欠落があるものの、欠落したＴＳの数が少数である（たとえば欠落したＴＳの数が基準値を下回る）場合には、制御回路１９は、ＩＰデータの受信状況が良好な状態と悪い状態との間の中間の状態と判定する。
【００４４】
ＩＰデータの受信状態が良好であると判定した場合、制御回路１９は、ステップＳ４において、インジケータ２１を緑色に点灯させる。ＩＰデータの受信状態が良好の状態と悪い状態との間の中間の状態であると判定した場合、制御回路１９は、ステップＳ５において、インジケータ２１を黄色に点灯させる。ＩＰデータの受信状態が良好でない（悪い）と判定した場合、制御回路１９は、ステップＳ６において、インジケータ２１を赤色に点灯させる。なお、制御回路１９は、インジケータ２１を点滅させるようにインジケータ２１を制御してもよい。この場合、制御回路１９は、インジケータ２１の点滅の間隔（周期）を変化させてもよい。インジケータ２１を点灯させることに加えてインジケータ２１を点滅させる（さらに、その点滅の周期を変化させてもよい）ことにより、制御回路１９が、より細かくＩＰデータの受信状態を判定した場合に、その判定結果をインジケータ２１によって示すことができる。
【００４５】
ステップＳ４〜Ｓ６のいずれかにおける処理が終了すると、処理はステップＳ１に戻される。
【００４６】
上記のように、今日の多くのテレビジョン受像機は、ＢＳアンテナおよび／またはＣＳアンテナのコンバータに電源電圧を供給するための機能を有する。この機能を利用することによって、ＩＰＤＣ受信機１は、テレビジョン受像機２からの電源電圧によりＩＰデータを無線で出力することができる。
【００４７】
無線通信端末４は、そのＩＰデータを処理することにより、テレビジョン受像機２と連動するサブデバイスを実現することができる。たとえばマルチスクリーン連動型のシステムを構築することができる。
【００４８】
さらに本考案の実施の形態１によれば、ＩＰＤＣ受信機１は、ＩＰＤＣ受信機１におけるＩＰデータの受信状況を示すためのインジケータ２１を備える。ユーザは、インジケータ２１の発光状態を確認することで、ＩＰＤＣ受信機１におけるＩＰデータの受信状況を把握することができる。
【００４９】
さらに本考案の実施の形態１によれば、インジケータ２１は、ＩＰＤＣ受信機１におけるＩＰデータの受信状況に従って、３色の光を切り換えて発する。インジケータ２１の発光色の切り換えは、制御回路１９によって行なわれる。
【００５０】
ここで、インジケータ２１の発光色の数が２以下である場合には、インジケータ２１は、ＩＰＤＣ受信機１におけるＩＰデータの受信が良好な状態、悪い状態のいずれであるかを示すことができる。インジケータ２１の発光色の数が１である場合、たとえばＩＰデータの受信状態が正常であればインジケータ２１が点灯し、ＩＰデータの受信状態が異常であればインジケータ２１が消灯する。ただし、ＩＰデータの受信状態の正常および異常と、インジケータ２１の点灯および消灯との間の組み合わせは、上記の逆であってもよい。また、インジケータ２１の発光色の数が２である場合、たとえば、ＩＰデータの受信状態が正常であればインジケータ２１は第１の色（たとえば緑）の光を発し、ＩＰデータの受信状態が異常であればインジケータ２１は第２の色（たとえば赤）の光を発する。
【００５１】
しかしながら、インジケータ２１が、ＩＰデータの受信状態をより細かく示すことができることが好ましい。このために、インジケータ２１の状態をより細かく変化させることができれば好ましい。インジケータ２１の状態をより細かく変化させることで、ＩＰＤＣ受信機１におけるＩＰデータの受信状態が悪い場合に、ユーザがその理由を把握することをより促進することができる。
【００５２】
ＩＰＤＣ受信機１におけるＩＰデータの受信が悪い状態である場合、たとえば以下の２つの原因が考えられる。１つの原因は、ＩＰＤＣ受信機１によって受信された放送信号が弱いということである。この現象の理由としては、たとえばアンテナ２０１の向きが本来の受信方向からずれている、あるいはアンテナ２０１の利得が小さいことが考えられる。他の原因は、放送番組がＩＰデータを配信していない（したがって放送信号にＩＰデータが含まれていない）ということである。
【００５３】
この考案の実施の形態１では、ＩＰデータの受信が良好な状態と悪い状態との中間の状態であることをインジケータ２１がユーザに示すことができる。無線通信端末４によってデータが受信できない場合に、その原因をユーザが推測するのを容易にすることができる。
【００５４】
たとえば、インジケータ２１の発光色が黄色と赤色との間で交互に切り換わる場合には、ＩＰＤＣ受信機１はＩＰデータが重畳された放送信号を受信できているものの、その放送信号の強度が弱いとユーザが推測することができる。したがって、たとえばブースタにより、ＩＰＤＣ受信機１に入力される放送信号を強くするという対策を施すことができる。
【００５５】
一方、テレビジョン受像機２で視聴している番組が切り換わるとともに、インジケータ２１の発光色が緑色から赤色へと変化した場合、テレビジョン受像機２は放送信号を受信できている。したがって、ユーザの無線通信端末４においてＩＰデータを受信できない原因は、放送番組がＩＰデータを配信していないためとユーザが推測することができる。
【００５６】
さらに、本考案の実施の形態１によれば、ＩＰＤＣ受信機１は、建物（家屋２００）の壁面５０に設けられた壁面端子５１と直接接続可能に構成された入力端子１１を備える。
【００５７】
ＩＰＤＣ受信機１は、テレビジョン受像機２で表示される番組の内容と連動するデータを、無線通信端末４に送信する。したがって、ＩＰＤＣ受信機１がＩＰデータを無線で送信可能な範囲は、基本的には、ＩＰＤＣ受信機１およびテレビジョン受像機２の設置された部屋の中だけで十分である。
【００５８】
たとえばＩＰＤＣ受信機１が設置された部屋があり、その隣の部屋に、無線通信端末４とは別の無線通信端末が存在するとする。ＩＰＤＣ受信機１の設置位置によっては、隣の部屋にある別の無線通信端末が、ＩＰＤＣ受信機１から送信されたＩＰデータを受信する可能性がある。
【００５９】
壁面端子５１は多くの場合、部屋の隅に配置されている。ＩＰＤＣ受信機１の送信電力を小さくすることで、ＩＰＤＣ受信機１からのＩＰデータの送信範囲を、テレビジョン受像機２の設置された部屋全体よりも小さい範囲にすることができる。ＩＰＤＣ受信機１を壁面端子５１に直接に接続できるので、別の部屋に存在する無線通信端末が、ＩＰＤＣ受信機１からのデータを受信する可能性を小さくすることができる。
【００６０】
ＩＰＤＣ受信機１がＩＰデータを送信するための送信電力が小さい場合、視聴者が、テレビジョン受像機２によって放送内容を視聴できるものの、視聴者が携帯する無線通信端末４がＩＰデータを受信できない（視聴者が、ＩＰデータを受信できるエリア内に存在しない）可能性が考えられる。しかしながら、テレビジョン受像機２は、壁面端子５１の近くに配置されることが多い。したがって、ＩＰＤＣ受信機１がＩＰデータを送信可能な範囲を、テレビジョン受像機２の視聴可能範囲とを重ねることができる。したがって視聴者は、テレビジョン受像機２により放送内容を視聴しながら、その放送内容に関する情報を、無線通信端末４を利用して受信することができる。
【００６１】
なお、上記の説明は、ＩＰＤＣ受信機１を壁面端子５１に直接接続することの利点を説明したものであり、ＩＰＤＣ受信機１を壁面端子５１に直接接続しなければならないように本考案に係るＩＰＤＣ受信機１を限定するものではない。したがって、両端にＦ型コネクタが接続された同軸ケーブルによって、壁面端子５１とＩＰＤＣ受信機１の入力端子１１とを接続することもできる。
【００６２】
［実施の形態２］
本考案の実施の形態２に係るＩＰＤＣ受信機は、本考案の実施の形態１に係るＩＰＤＣ受信機１において、分配器を分岐器に置き換えた構成を有する。以下に、本考案の実施の形態２に係るＩＰＤＣ受信機１の構成例を説明する。なお、本考案の実施の形態２に係るＩＰＤＣ受信機１を含むシステムの基本的な構成は、図１に示す構成と同様であるので以後の詳細な説明は繰り返さない。
【００６３】
図５は、本考案の実施の形態２に係るＩＰＤＣ受信機１の１つの構成例を示したブロック図である。図５に示された構成は、本考案の実施の形態１に係るＩＰＤＣ受信機１（図３を参照）において、分配器１６を分岐器１６Ａに置き換えた構成と等価である。
【００６４】
分岐器１６Ａは、入力端子１１から入力される放送信号の一部を分岐して、分岐された信号を無線出力回路２２へと出力する。したがって、分岐された放送信号のレベルは、幹線（入力端子１１から出力端子１２へと放送信号を伝達する経路）に出力される放送信号のレベルよりも低くなる。すなわち、分岐器１６Ａは、必要な大きさの放送信号だけを幹線から取出して無線出力回路２２に出力する。
【００６５】
図６は、本考案の実施の形態２に係るＩＰＤＣ受信機１の他の構成例を示したブロック図である。図６に示された構成は、図５に示される構成に、ＤＣ／ＤＣコンバータ１７の入力側に接続された接続端子２５が追加された構成と等価である。接続端子２５には、ＡＣ／ＤＣコンバータ２２を接続することができる。図６に示した構成では、ＩＰＤＣ受信機１の電源電圧は、接続端子２５に接続されるＡＣ／ＤＣコンバータ２２（ＡＣアダプタ）からも供給可能である。ＡＣ／ＤＣコンバータ２２は、交流電源６１（商用電源）から供給されるＡＣ電圧をＤＣ電圧に変換して、ＩＰＤＣ受信機１に、そのＤＣ電圧を供給する。
【００６６】
上記の各実施の形態では、放送波を受信するアンテナ、および壁面端子５１が設置された建物の一例として一般家庭の家屋を例示している。しかし、本考案に係るＩＰＤＣ受信機は、放送波を出力するための壁面端子５１が設置された建物に設置可能である。
【００６７】
また、上記の実施の形態では、放送波としては、放送局からの地上デジタル放送波を示した。しかし、ＩＰデータが重畳された放送波であれば、特にその放送波の種類を限定することなく、本考案に係るＩＰＤＣ受信機を、その放送波の受信に用いることができる。たとえばＩＰデータが重畳された放送波は、自主放送波であってもよい。
【００６８】
また、上記の各実施の形態では、電波によるＩＰＤＣの実現例を示した。しかしながら、ＣＡＴＶ局が独自コンテンツの配信にＩＰＤＣを利用する場合にも、本考案に係るＩＰＤＣ受信機は適用可能である。
【００６９】
また、実施の形態１に係るＩＰＤＣ受信機（図３に示された構成）において、図６に示される構成と同様に、ＤＣ／ＤＣコンバータ１７の入力側に接続された接続端子２５を追加してもよい。
【００７０】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【符号の説明】
【００７１】
１  ＩＰＤＣ受信機、２  テレビジョン受像機、３  無線ルータ、４  無線通信端末、１０  筐体、１１  入力端子、１２  出力端子、１３，１４  ＲＦＣ（高周波チョークコイル）、１５  逆流防止ダイオード、１６  分配器、１７  ＤＣ／ＤＣコンバータ、１８  ＩＳＤＢ−Ｔチューナ、１９  制御回路、２０  無線通信部、２１  インジケータ、２２  無線出力回路、５０  壁面、５１  壁面端子、１０１  放送局、１０２  電波塔、２００  家屋、２０１  アンテナ、２０２  ケーブル、３０１  ネットワーク、３０２  サーバ。
【図１】
0003185124.tif 000003
【図２】
0003185124.tif 000004
【図３】
0003185124.tif 000005
【図４】
0003185124.tif 000006
【図５】
0003185124.tif 000007
【図６】
0003185124.tif 000008